(57)【要約】  本発明の実施例は、情報送信、受信及び制御方法、送信装置、受信装置及び基地局を提供する。本発明の実施例による情報送信方法は、複数のリソースブロックを含むリソースプール中のリソースブロックを用いて情報を受信装置に送信する送信装置における情報送信方法であって、情報送信方式を判定することと、前記情報送信方式がユニキャストである場合、前記複数のリソースブロック中の単一のリソースブロックを用いて一回のユニキャスト伝送に対するスケジューリング情報を送信し、前記情報送信方式がマルチキャスト又はブロードキャストである場合、前記複数のリソースブロック中の一つのリソースブロックペアを用いて一回のマルチキャスト又はブロードキャスト伝送に対するスケジューリング情報を送信することと、を含む。
2019525634.tif 000002
【特許請求の範囲】
【請求項１】
複数のリソースブロックを含むリソースプール中のリソースブロックを用いて情報を受信装置に送信する送信装置における情報送信方法であって、
情報送信方式を判定することと、
前記情報送信方式がユニキャストである場合、前記複数のリソースブロック中の単一のリソースブロックを用いて、一回のユニキャスト伝送に対するスケジューリング情報を送信し、
前記情報送信方式がマルチキャスト又はブロードキャストである場合、前記複数のリソースブロック中の一つのリソースブロックペアを用いて、一回のマルチキャスト又はブロードキャスト伝送に対するスケジューリング情報を送信することと、を含む、情報送信方法。
【請求項２】
前記情報送信方式を判定することは、
基地局からの前記情報送信方式についての設定情報を受信し、前記設定情報により前記情報送信方式を判定することを含む、請求項１に記載の情報送信方法。
【請求項３】
前記情報送信方法を判定することは、
前記情報送信方式を指示する指示情報を含む前記基地局のグラント情報を受信し、前記指示情報により前記情報送信方式を判定することを含む、請求項１に記載の情報送信方法。
【請求項４】
前記情報送信方式を判定することは、
前記受信装置を指示する受信装置情報を含む前記基地局のグラント情報を受信し、前記受信装置情報と、予め記憶される前記受信装置に対応する情報受信方式とにより前記情報送信方式を判定することを含む、請求項１に記載の情報送信方法。
【請求項５】
前記情報送信方式を判定する前に、
前記基地局がスケジューリング要求により前記送信装置の情報送信方式を指示するように、前記送信装置の情報送信方式を含むスケジューリング要求を前記基地局に送信することをさらに含む、請求項１〜４のいずれか一項に記載の情報送信方法。
【請求項６】
前記スケジューリング情報のフォーマットは、周波数領域においてシングルキャリア帯域幅を有し、時間領域において予め設定された固定スロット長を有するように配置される、請求項１〜４のいずれか一項に記載の情報送信方法。
【請求項７】
前記送信装置により送信されるスケジューリング情報は、前記情報送信方式を指示する指示情報を含む、請求項１〜４のいずれか一項に記載の情報送信方法。
【請求項８】
複数のリソースブロックを含むリソースプール中のリソースブロックを用いて、送信装置から送信されたスケジューリング情報を受信する受信装置における情報受信方法であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記情報受信方法は、
前記一つのリソースブロックペアの首位リソースブロックで受信されたスケジューリング情報を復号化することと、
前記首位リソースブロックのスケジューリング情報の復号化が成功であるか否かにかかわらず、前記レピティション位リソースブロックで受信されたスケジューリング情報を復号化することと、を含む、情報受信方法。
【請求項９】
前記首位リソースブロックとレピティション位リソースブロックのスケジューリング情報に対する復号化がいずれも失敗である場合、前記首位リソースブロックとレピティション位リソースブロックのスケジューリング情報を結合して復号化する、請求項８に記載の情報受信方法。
【請求項１０】
複数のリソースブロックを含むリソースプール中のリソースブロックを用いて、送信装置から送信された情報を受信する受信装置における情報受信方法であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記情報受信方法は、
前記一つのリソースブロックペアの首位リソースブロックで受信されたスケジューリング情報を復号化することと、
前記送信装置の情報送信方式を判断することと、
前記送信装置の情報送信方式及び前記首位リソースブロックのスケジューリング情報の復号化結果により、前記レピティション位リソースブロックで受信されたスケジューリング情報を復号化するか否かを判断することと、を含む、情報受信方法。
【請求項１１】
前記送信装置の情報送信方式を判断することは、
取得された、前記情報送信方式を指示する指示情報により、前記情報送信方式を判断することを含む、請求項１０に記載の情報受信方法。
【請求項１２】
前記送信装置の情報送信方式を判断することは、
取得された、前記情報送信方式を指示する送信方式識別子により、前記情報送信方式を判断することを含む、請求項１０に記載の情報受信方法。
【請求項１３】
前記送信装置の情報送信方式及び前記首位リソースブロックのスケジューリング情報の復号化結果により、前記レピティション位リソースブロックで受信されたスケジューリング情報を復号化するか否かを判断することは、
前記首位リソースブロックのスケジューリング情報の復号化が成功であり、かつ前記送信装置の情報送信方式がマルチキャスト又はブロードキャストである場合、前記レピティション位リソースブロックで受信されたスケジューリング情報を復号化しないことと、
前記首位リソースブロックのスケジューリング情報の復号化が成功であり、かつ前記送信装置の情報送信方式がユニキャストである場合、又は前記首位リソースブロックのスケジューリング情報の復号化が失敗である場合、前記レピティション位リソースブロックで受信されたスケジューリング情報を復号化することと、を含む、請求項１０〜１２のいずれか一項に記載の情報受信方法。
【請求項１４】
送信装置が複数のリソースブロックを含むリソースプール中のリソースブロックを用いて情報を送信するように制御するための情報送信制御方法であって、
前記送信装置の情報送信方式を決定することと、
決定された前記情報送信方式により、スケジューリング情報の送信を前記送信装置に指示し、前記情報送信方式がユニキャストである場合、前記送信装置が前記複数のリソースブロック中の単一のリソースブロックを用いて一回のユニキャスト伝送に対するスケジューリング情報を送信するように指示し、前記情報送信方式がマルチキャスト又はブロードキャストである場合、前記送信装置が前記複数のリソースブロック中の一つのリソースブロックペアを用いて一回のマルチキャスト又はブロードキャスト伝送に対するスケジューリング情報を送信するように指示することと、を含む、情報送信制御方法。
【請求項１５】
前記制御方法は、
前記送信装置の情報送信方式を決定する前に、
前記送信装置から送信される、前記送信装置の情報送信方式を含むスケジューリング要求を受信することをさらに含み、
前記送信装置の情報送信方式を決定することは、前記スケジューリング要求により前記送信装置の情報送信方式を決定することを含む、請求項１４に記載の制御方法。
【請求項１６】
決定された前記情報送信方式により、スケジューリング情報の送信を前記送信装置に指示することは、
前記送信装置が設定情報により前記情報送信方式を判定するように、前記情報送信方式についての設定情報を前記送信装置に送信することを含む、請求項１４に記載の制御方法。
【請求項１７】
決定された前記情報送信方式により、スケジューリング情報の送信を前記送信装置に指示することは、
前記送信装置が指示情報により前記情報送信方式を判定するように、前記情報送信方式を指示する指示情報を含むグラント情報を前記送信装置に送信することを含む、請求項１４に記載の制御方法。
【請求項１８】
決定された前記情報送信方式により、スケジューリング情報の送信を前記送信装置に指示することは、
前記送信装置が受信装置情報と予め記憶された前記受信装置に対応する情報受信方式とにより前記情報送信方式を判定するように、前記受信装置を指示する受信装置情報を含むグラント情報を前記送信装置に送信することを含む、請求項１４に記載の制御方法。
【請求項１９】
前記制御方法は、
前記情報送信方式がユニキャストである場合、前記受信装置がユニキャスト情報を受信するためのリソースブロックが占める時点とは異なるように、前記送信装置が情報を送信するためのリソースブロックが占める時点を配置することをさらに含む、請求項１４〜１８のいずれか一項に記載の制御方法。
【請求項２０】
複数のリソースブロックを含むリソースプール中のリソースブロックを用いて情報を受信装置に送信する送信装置であって、
情報送信方式を判定するように構成される判定部と、
前記情報送信方式がユニキャストである場合、前記複数のリソースブロック中の単一のリソースブロックを用いて一回のユニキャスト伝送に対するスケジューリング情報を送信し、前記情報送信方式がマルチキャスト又はブロードキャストである場合、前記複数のリソースブロック中の一つのリソースブロックペアを用いて一回のマルチキャスト又はブロードキャスト伝送に対するスケジューリング情報を送信するように構成される送信部と、を含む、送信装置。
【請求項２１】
複数のリソースブロックを含むリソースプール中のリソースブロックを用いて、送信装置から送信されたスケジューリング情報を受信する受信装置であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記受信装置は、
前記一つのリソースブロックペアで受信された首位リソースブロックのスケジューリング情報を復号化するように構成される第１の首位復号化部と、
前記首位リソースブロックのスケジューリング情報の復号化が成功であるか否かにかかわらず、前記レピティション位リソースブロックで受信されたスケジューリング情報を復号化するように構成される第１のレピティション位復号化部と、を含む、受信装置。
【請求項２２】
複数のリソースブロックを含むリソースプール中のリソースブロックを用いて、送信装置から送信されたスケジューリング情報を受信する受信装置であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記受信装置は、
前記一つのリソースブロックペアの首位リソースブロックで受信されたスケジューリング情報を復号化するように構成される第２の首位復号化部と、
前記送信装置の情報送信方式を判断するように構成される判断部と、
前記送信装置の情報送信方式及び前記首位リソースブロックのスケジューリング情報の復号化結果により、前記レピティション位リソースブロックで受信されたスケジューリング情報を復号化するか否かを判断するように構成される第２のレピティション位復号化部と、を含む、受信装置。
【請求項２３】
前記第２のレピティション位復号化部は、
前記首位リソースブロックのスケジューリング情報の復号化が成功であり、かつ前記送信装置の情報送信方式がマルチキャスト又はブロードキャストである場合、前記レピティション位リソースブロックで受信されたスケジューリング情報を復号化しなく、
前記首位リソースブロックのスケジューリング情報の復号化が成功であり、かつ前記送信装置の情報送信方式がユニキャストである場合、又は前記首位リソースブロックのスケジューリング情報の復号化が失敗である場合、前記レピティション位リソースブロックで受信されたスケジューリング情報を復号化する、請求項２２に記載の受信装置。
【請求項２４】
送信装置が複数のリソースブロックを含むリソースプール中のリソースブロックを用いて情報を送信するように制御する基地局であって、
前記送信装置の情報送信方式を決定するように構成される決定部と、
決定された前記情報送信方式により、スケジューリング情報の送信を前記送信装置に指示し、前記情報送信方式がユニキャストである場合、前記送信装置が前記複数のリソースブロック中の単一のリソースブロックを用いて一回のユニキャスト伝送に対するスケジューリング情報を送信するように指示し、前記情報送信方式がマルチキャスト又はブロードキャストである場合、前記送信装置が前記複数のリソースブロック中の一つのリソースブロックペアを用いて一回のマルチキャスト又はブロードキャスト伝送に対するスケジューリング情報を送信するように指示するように構成される指示部と、を含む、基地局。
【請求項２５】
前記情報送信方式がユニキャストである場合、前記受信装置がユニキャスト情報を受信するためのリソースブロックが占める時点とは異なるように、前記送信装置が情報を送信するためのリソースブロックが占める時点を配置するように構成される設定部をさらに含む、請求項２４に記載の基地局。
【発明の詳細な説明】
【技術分野】
【０００１】
本願は、無線通信分野に関し、具体的には、無線通信システムに使用可能な情報の送信、受信及び制御の方法、並びに、その送信装置、受信装置及び基地局に関する。
【背景技術】
【０００２】
セルラーに基づく狭帯域モノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）は、グローバル範囲で広く適用可能な新興技術であり、ワイドエリアネットワークにおける低消費電力装置のセルラーデータ接続をサポートし、直接的にＧＳＭ（登録商標）ネットワーク、ＵＭＴＳネットワーク又はＬＴＥネットワークに配置されることができ、カバレッジが広く、接続が多く、レートが低く、コストが低く、消費電力が少なく、アーキテクチャが優れるなどのような利点を有する。
【０００３】
ＮＢ−ＩｏＴでは、ネットワークのカバレッジの向上のために、スロットバインディング（ＴＴＩ  ｂｕｎｄｌｉｎｇ）を採用することができる。スロットバインディング技術は、受信装置が複数のＴＴＩリソースでのデータを合併して受信するように、基地局が一つのパケットを連続の複数の伝送時間間隔（Ｔｒａｎｓｍｉｓｓｉｏｎ  Ｔｉｍｅ  Ｉｎｔｅｒｖａｌ、ＴＴＩ）リソースで繰り返して伝送する技術である。ＮＢ−ＩｏＴでのスロットバインディング技術は、伝送品質を効果的に向上させ、カバレッジを拡大させることができる。
【発明の概要】
【発明が解決しようとする課題】
【０００４】
しかしながら、スロットバインディング技術は、情報の伝送の際に、パケット伝送の完備性を確保するように、ユーザ装置を長時間でオンにする必要があるため、ユーザ装置の高消費電力及びリソースの浪費に繋がる。
【課題を解決するための手段】
【０００５】
本発明の一つの態様によれば、送信装置によって実行される情報送信方法を提供する。その中に、前記送信装置は、複数のリソースブロックを含むリソースプール中のリソースブロックを用いて、受信装置に情報を送信する。前記情報送信方法は、情報送信方式を判定することと、前記情報送信方式がユニキャストである場合、前記複数のリソースブロック中の単一のリソースブロックを用いて、一つのユニキャスト伝送に対するスケジューリング情報を送信し、前記情報送信方式がマルチキャスト又はブロードキャストである場合、前記複数のリソースブロック中の一つのリソースブロックペアを用いて、一回のマルチキャスト又はブロードキャスト伝送に対するスケジューリング情報を送信することと、を含む。
【０００６】
本発明の他の態様によれば、受信装置により実行される情報受信方法を提供する。その中に、前記受信装置は、複数のリソースブロックを含むリソースプール中のリソースブロックを用いて、送信装置から送信されたスケジューリング情報を受信し、前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。前記情報受信方法は、前記一つのリソースブロックペアの首位リソースブロックで受信されたスケジューリング情報を復号化することと、前記首位リソースブロックのスケジューリング情報の復号化が成功であるか否かにかかわらず、前記レピティション位リソースブロックで受信されたスケジューリング情報を復号化することと、を含む。
【０００７】
本発明のさらなる態様によれば、受信装置により実行される情報受信方法を提供する。その中に、前記受信装置は、複数のリソースブロックを含むリソースプール中のリソースブロックを用いて、送信装置から送信された情報を受信し、前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。前記情報受信方法は、前記一つのリソースブロックペアの首位リソースブロックで受信されたスケジューリング情報を復号化することと、前記送信装置の情報送信方式を判断することと、前記送信装置の情報送信方式及び前記首位リソースブロックのスケジューリング情報の復号化結果により、前記レピティション位リソースブロックで受信されたスケジューリング情報を復号化するか否かを判断することとを含む。
【０００８】
本発明のさらに他の態様によれば、送信装置が複数のリソースブロックを含むリソースプール中のリソースブロックを用いて情報を送信するように制御する情報送信制御方法を提供する。前記情報送信制御方法は、前記送信装置の情報送信方式を決定することと、決定された前記情報送信方式により、スケジューリング情報の送信を前記送信装置に指示し、前記情報送信方式がユニキャストである場合、前記送信装置が前記複数のリソースブロック中の単一のリソースブロックを用いて一回のユニキャスト伝送に対するスケジューリング情報を送信するように指示し、前記情報送信方式がマルチキャスト又はブロードキャストである場合、前記送信装置が前記複数のリソースブロック中の一つのリソースブロックペアを用いて一回のマルチキャスト又はブロードキャスト伝送に対するスケジューリング情報を送信するように指示することと、を含む。
【０００９】
本発明のさらなる態様によれば、複数のリソースブロックを含むリソースプール中のリソースブロックを用いて情報を受信装置に送信する送信装置を提供する。前記送信装置は、情報送信方式を判定するように構成される判定部と、前記情報送信方式がユニキャストである場合、前記複数のリソースブロック中の単一のリソースブロックを用いて一回のユニキャスト伝送に対するスケジューリング情報を送信し、前記情報送信方式がマルチキャスト又はブロードキャストである場合、前記複数のリソースブロック中の一つのリソースブロックペアを用いて一回のマルチキャスト又はブロードキャスト伝送装置に対するスケジューリング情報を送信するように構成される送信部と、を含む。
【００１０】
本発明の他の態様によれば、複数のリソースブロックを含むリソースプール中のリソースブロックを用いて、送信装置から送信されたスケジューリング情報を受信する受信装置を提供する。前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。前記送信装置は、前記一つのリソースブロックペアで受信された首位リソースブロックのスケジューリング情報を復号化するように構成される第１の首位復号化部と、前記首位リソースブロックのスケジューリング情報の復号化が成功であるか否かにかかわらず、前記レピティション位リソースブロックで受信されたスケジューリング情報を復号化するように構成される第１のレピティション位復号化部と、を含む。
【００１１】
本発明のさらなる態様によれば、複数のリソースブロックを含むリソースプール中のリソースブロックを用いて、送信装置から送信された情報を受信する受信装置を提供する。前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。前記受信装置は、前記一つのリソースブロックペアの首位リソースブロックで受信されたスケジューリング情報を復号化するように構成される第２の首位復号化部と、前記送信装置の情報送信方式を判断するように構成される判断部と、前記送信装置の情報送信方式及び前記首位リソースブロックのスケジューリング情報の復号化結果により、前記レピティション位リソースブロックで受信されたスケジューリング情報を復号化するか否かを判断するように構成される第２のレピティション位復号化部と、を含む。
【００１２】
本発明のさらに他の態様によれば、送信装置が複数のリソースブロックを含むリソースプール中のリソースブロックを用いて情報を送信するように制御する基地局を提供する。前記基地局は、前記送信装置の情報送信方式を決定するように構成される決定部と、決定された前記情報送信方式により、スケジューリング情報の送信を前記送信装置に指示し、前記情報送信方式がユニキャストである場合、前記送信装置が前記複数のリソースブロック中の単一のリソースブロックを用いて一つのユニキャスト伝送に対するスケジューリング情報を送信するように指示し、前記情報送信方式がマルチキャスト又はブロードキャストである場合、前記送信装置が前記複数のリソースブロック中の一つのリソースブロックペアを用いて一回のマルチキャスト又はブロードキャスト伝送に対するスケジューリング情報を送信するように指示するように構成される指示部と、を含む。
【発明の効果】
【００１３】
本発明の上記態様による情報送信、受信及び制御方法、並びにその送信装置、受信装置及び基地局を用いて、ＮＢ−ＩｏＴにおいて、スロットバインディング技術の代わりに装置対装置（Ｄ２Ｄ）送信伝送方式を使用して情報を伝送することができる。中継システムにおける大きなユニキャスト伝送の特徴を利用することにより、本発明が相応的にＳＡの送信方式を改善するため、ユーザ装置がＳＡリソースプールをモニタリングしてパケットを受信するように長時間でオンすることをさらに抑制し、ユーザ装置の消費電力を低減し、リソースの利用効率を向上する。
【図面の簡単な説明】
【００１４】
図面を合わせて本発明の実施例を詳しく説明することにより、本発明の上記及びその他の目的、特徴、利点がより明らかになる。
【図１】Ｄ２Ｄシステムのリソースプール割り当てを示す概略図である。
【図２】ＳＡリソースブロックペア割り当てを示す概略図である。
【図３】本発明の実施例でスロットバインディング技術の代わりに採用されるＤ２Ｄ送信伝送を示す概略図である。
【図４】本発明の実施例による情報送信方法のフローチャートである。
【図５】ユニキャスト送信方式でのＳＡリソースブロック割り当てを示す概略図である。
【図６】本発明の実施例による情報受信方法のフローチャートである。
【図７】本発明の実施例による情報受信方法のフローチャートである。
【図８】本発明の他の実施例による情報送信制御方法のフローチャートである。
【図９】本発明の実施例による送信装置のブロック図である。
【図１０】本発明の実施例による受信装置のブロック図である。
【図１１】本発明の他の実施例による受信装置のブロック図である。
【図１２】本発明の実施例による基地局のブロック図である。
【発明を実施するための形態】
【００１５】
以下、図面を参照しながら、本発明の実施例による情報送信、受信及び制御方法、並びにその送信装置、受信装置及び基地局を説明する。図面において、同じ符号が本文全体にわたって同じ要素を示す。なお、ここで記載される実施例は、説明的であり、本発明の範囲を制限するように解釈すべきでない。
【００１６】
本発明で、ＮＢ−ＩｏＴシステムにおいて採用されるスロットバインディング技術による電力消費及びリソース浪費問題を解決するために、本発明者らは、消費電力の低減、リソースの利用効率の向上のために、ＮＢ−ＩｏＴシステムにおいてスロットバインディング技術の代わりにＤ２Ｄ中継伝送方式を使用して情報を伝送することを考案した。
【００１７】
Ｄ２Ｄシステムは、中継装置とユーザ装置との間で、及びユーザ装置とユーザ装置の間での情報伝送をサポートし、リソースプール（ｐｏｏｌ）中のリソースブロックを用いてリソース割り当て及び情報伝送を行う。図１は、Ｄ２Ｄシステムのリソースプール割り当ての概略図である。図１に示すように、物理上りリンク制御チャネル（ＰＵＣＣＨ）における無線通信リソースは、スケジューリング割り当て（ｓｃｈｅｄｕｌｉｎｇ  ａｓｓｉｇｎｍｅｎｔ、ＳＡ）リソースプールと、データリソースプールとに割り当てられ、ここで、ＳＡは、スケジューリング割り当ての制御情報であり、それに関連付けられるデータリソースプール中のデータリソースブロックのリソース位を指示するものである。ＳＡは、固定の大きさ、即ち、１リソースブロック（ＲＢ）と１サブフレーム（ｓｕｂｆｒａｍｅ）を有してもよく。Ｄ２Ｄシステムにおいて、ＳＡリソースブロック及びデータリソースブロックの両方により、マルチキャスト又はブロードキャスト伝送において、隣接するユーザ装置との間での情報伝送を実現する。
【００１８】
また、ハーフデュプレックス（Ｈａｌｆ  Ｄｕｐｌｅｘ、ＨＤ）は、伝送されるデータが一つのチャネルの二つの方向で伝送できるが、同時に伝送できないという問題点があるため、Ｄ２Ｄシステムでは、一般的に、ＳＡ繰り返し伝送の方式を用いてＨＤ問題を回避する。つまり、マルチキャスト又はブロードキャストの情報伝送方式では、一つのＳＡリソースブロックペアを用いて同じスケジューリング情報を繰り返して伝送する。ＳＡリソースブロックペアは、ＳＡリソースプールの上部の一つのＳＡリソースブロックと、それと特定の対応関係を有するＳＡリソースプールの下部の一つのＳＡリソースブロックとから構成されるものであり、首位リソースブロック及びレピティション位リソースブロックとして表記されてもよい。図２は、それぞれ、ＵＥ１とＵＥ２の情報伝送のためのＳＡリソースブロックペア割り当ての概略図である。図２に示すように、ＵＥ１にとって、ＳＡリソースプールの上部の一つのＳＡリソースブロックと、矢印で示されるそれに対応するＳＡリソースプールの下部の一つのＳＡリソースブロックは、共同に一つのリソースブロックペアを形成し、ＵＥ１の情報伝送に用いられる。このリソースブロックペアにおいて、各ＳＡリソースブロックは、それぞれ、同じＵＥ１に対するスケジューリング情報を伝送する。ＵＥ２に対するＳＡリソースブロック割り当て方式とスケジューリング情報伝送方式も同様である。
【００１９】
図３は、本発明の実施例による、ＮＢ−ＩｏＴシステムにおいてスロットバインディング技術の代わりにＤ２Ｄ中継伝送を用いる概略図である。図３中の破線は、従来技術においてＮＢ−ＩｏＴシステムで採用される基地局から受信装置へのスロットバインディング情報伝送を示し、実線は、本発明の実施例において送信装置によって採用されるＤ２Ｄ送信伝送技術を示す。そのうち、ユニキャスト通信がＮＢ−ＩｏＴシステムでの典型的な情報伝送方式である点で、従来技術と異なる。ＮＢ−ＩｏＴシステムでは、ユーザの送受信能力にも一定の制限があるため、ユーザ装置が情報を送信する際に、一部のユーザ装置が複数のサブキャリアないしＰＲＢの全体で情報を送信できるが、一部のユーザが単一のサブキャリアで情報を送信することしかできない。情報を受信する際に、ユーザ装置がＰＲＢの全体で情報を受信することができる。従って、ＮＢ−ＩｏＴシステムにおけるＤ２Ｄ送信技術は、情報のユニキャスト・シングルサブキャリアの伝送需要を同時に満たす必要がある。
【００２０】
ＮＢ−ＩｏＴシステムでのＤ２Ｄ送信技術のユニキャスト・シングルサブキャリアの伝送需要を満たすために、本発明は、以下のような具体的な実施形態を提案する。
【００２１】
まず、図４を参照しながら、本発明の実施例による送信装置によって実行される情報送信方法を説明する。図４は、当該情報送信方法４００のフローチャートを示す。そのうち、送信装置は、複数のリソースブロックを含むリソースプール中のリソースブロックを用いて受信装置に情報を送信する。本発明の実施例によれば、送信装置は、情報を送信する際に、まず基地局の指示に従ってその情報送信方式がユニキャストであるかマルチキャスト又はブロードキャストであるかを判定する必要があり、その後、判定された情報送信方式により情報を送信する。
【００２２】
図４に示されるように、ステップＳ４０１では、情報送信方式を判定する。送信装置の情報送信方式は、基地局により指示され、情報送信方式は、ユニキャスト、マルチキャスト及びブロードキャストを含むことができる。本発明の一つの例によれば、基地局は、直接的に指示を送信することにより、送信装置の情報送信方式を指定することができる。また、本発明の他の例によれば、送信装置は、まず送信装置の情報送信方式を含むスケジューリング要求（Ｓｃｈｅｄｕｌｉｎｇ  Ｒｅｑｕｅｓｔ、ＳＲ）を基地局に送信し、その後、基地局は、このスケジューリング要求に応じて送信装置の情報送信方式を指示することができる。例えば、送信装置の情報送信方式がユニキャストである場合、送信装置から基地局に送信されるスケジューリング要求には、その情報送信方式がユニキャストである情報を含んでもよい。これによって、基地局は、送信装置がユニキャスト方式でスケジューリング情報を受信装置に送信することを、送信装置に指示する。
【００２３】
送信装置により取得された、基地局からの情報送信方式に対する指示は、多種の方途によって行われてもよい。本発明の一実施例では、基地局は、まず、送信装置がこの設定情報によりその情報送信方式を判定するように、送信装置に情報送信方式に対する設定情報を送信することができる。例えば、基地局は、まず、送信装置がその後の特定期間内にユニキャスト送信方式を用いて受信装置に情報を送信するように、ユニキャスト送信方式の準静的設定（ｓｅｍｉ−ｓｔａｔｉｃ  ｃｏｎｆｉｇｕｒａｔｉｏｎ）を送信装置に送信することができる。本発明の他の実施例では、基地局は、送信装置に、Ｄ２Ｄグラント情報を送信することで、送信装置がＤ２Ｄにより受信装置に情報を送信することを許可することができ、このグラント情報は、送信装置の情報送信方式を指示する１ビットの指示情報を含んでもよい。本発明のさらなる実施例では、送信装置は、暗黙の方式によってその情報送信方式を判定することもできる。具体的には、送信装置は、受信された基地局のＤ２Ｄグラント情報中の受信装置を指示する受信装置情報と、予め記憶された受信装置に対応する情報受信方式とを組み合わせて利用し、その情報送信方式を判定することができる。例えば、送信装置により受信された受信装置情報に指示される受信装置がユニキャスト受信方式に対応する場合、送信装置は、その情報送信方式をユニキャスト送信方式として判定することができる。
【００２４】
ステップＳ４０２では、前記情報送信方式がユニキャストである場合、前記複数のリソースブロック中の単一のリソースブロックを用いて一回のユニキャスト伝送に対するスケジューリング情報を送信し、前記情報送信方式がマルチキャスト又はブロードキャストである場合、前記複数のリソースブロック中のリソースブロックペアを用いて一回のマルチキャスト又はブロードキャスト伝送に対するスケジューリング情報を送信する。
【００２５】
このステップでは、送信装置の情報送信方式がマルチキャスト又はブロードキャストである場合、図２に示すようなＳＡ設定を参照しながら、リソースプール中のＳＡリソースブロックペアを用いて、同じ回の伝送に対してスケジューリング情報を繰り返して送信し、これによって、ＨＤ問題を回避する。一方、送信装置の情報送信方式がユニキャストである場合、リソースブロックペアを利用してスケジューリング情報を繰り返して送信する必要がなく、単一のＳＡリソースブロックで一回のユニキャスト伝送に対するスケジューリング情報を送信する。図５は、ユニキャスト送信方式でのＳＡリソースブロック割り当てを示す概略図である。図５に示すように、矢印で示される一つのリソースブロックペアの相互対応の二つのＳＡリソースブロックでは、異なる送信装置から異なる受信装置へのユニキャスト情報伝送を積載することができ、例えば、ＵＥ１からＵＥｘへのユニキャスト情報伝送、及びＵＥ２からＵＥｙへのユニキャスト情報伝送を積載してもよい。
【００２６】
ここで、Ｄ２Ｄ伝送中のリソースプール構成を繰り返して利用し、ＮＢ−ＩｏＴシステム中のユニキャスト情報伝送方式に適応させるために、基地局により、又は予め設定されたプロトコルにより、情報伝送の前にＳＡリソースブロックのフォーマットを再設定する必要がある。具体的には、本発明の実施例におけるＳＡリソースブロックは、シングルキャリアＵＥの伝送能力に適応させるように、周波数領域においてシングルキャリア幅の固定帯域幅（１５ｋＨｚ又は３．７５ｋＨｚ）を有するように配置され、好ましくはＨＤ問題の少ない１５ｋＨｚを有してもよい。ＳＡリソースブロックは、ＳＡの内容を収容するように、時間領域において、予め設定された固定のスロット長、例えば、Ｘ＊８ｍｓ又はＸ＊３２ｍｓ（ここで、Ｘが固定値である）を有してもよい。
【００２７】
そのうち、本発明の実施例では、送信装置により送信されるスケジューリング情報には、情報送信方式を指示する指示情報が含まれてもよい。このように、受信装置がこれにより送信装置の情報送信方式を知るようにする。選択的に、指示情報は、１ビットを占めてもよい。
【００２８】
本発明の実施例に提供される情報送信方法では、ＳＡリソースブロックに対する再設定は、ＮＢ−ＩｏＴシステムでのＤ２Ｄ送信技術のユニキャスト・シングルキャリアの伝送需要を実現し、かつ、本発明の実施例における情報送信方法で採用されるユニキャスト伝送方式は、消費電力をさらに低減させ、リソースの利用効率を向上させる。
【００２９】
図６は、受信装置が送信装置の情報送信方式を判断できない場合、本発明の実施例による受信装置により実行される情報受信方法のフローチャートを示す。そのうち、前記受信装置は、複数のリソースブロックを含むリソースプール中のリソースブロックを用いて送信装置から送信されたスケジューリング情報を受信し、前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。
【００３０】
図６に示すように、情報受信方法６００は、前記一つのリソースブロックペアの首位リソースブロックで受信されたスケジューリング情報を復号化するステップＳ６０１を含む。
【００３１】
受信装置が送信装置から送信されたスケジューリング情報を受信したが、送信装置の情報送信方式を判断できない場合、この際に、送信装置の情報送信方式がユニキャスト、マルチキャスト又はブロードキャストであるにもかかわらず、まず一つのリソースブロックペア中の首位リソースブロックを復号化する必要がある。
【００３２】
続いて、ステップＳ６０２では、前記首位リソースブロックのスケジューリング情報の復号化が成功であるか否かにかかわらず、前記レピティション位リソースブロックで受信されたスケジューリング情報を復号化する。
【００３３】
従来技術では、情報送信方式がマルチキャスト又はブロードキャストであるかにかかわらず、スケジューリング情報は、いずれも、一つのリソースブロックペアのうちの二つのリソースブロックにより繰り返して送信されるため、従来技術の復号化過程において、リソースブロックペアの首位リソースブロックの復号化が成功である場合、そのレピティション位リソースブロックで送信される情報が首位リソースブロックと同じであるとみなし、そのレピティション位リソースブロックを復号化する必要がない。
【００３４】
しかしながら、本発明の実施例では、情報送信方式がユニキャストである可能性が存在するため、一つのリソースブロックペアにおける互いに対応する二つのリソースブロックは、異なる送信装置から異なる受信装置へ送信される情報を積載する可能性がある。従って、首位リソースブロックのスケジューリング情報の復号化が成功であるか否かにかかわらず、本発明の実施例では、いずれも、このリソースブロックペア中のレピティション位リソースブロックを復号化する必要がある。一つのリソースブロックペア中の首位リソースブロックとレピティション位リソースブロックの復号化がいずれも完了する場合のみ、完備なスケジューリング情報を取得することができる。
【００３５】
また、本発明の実施例では、一つのリソースブロックペア中の首位リソースブロックとレピティション位リソースブロックの復号化がいずれも失敗である場合、首位リソースブロックとレピティション位リソースブロックのスケジューリング情報を結合して再び復号化することができる。
【００３６】
本発明の実施例に提供される情報受信方法では、受信装置は、送信装置の情報送信方式を判断できない場合に、受信した情報を復号化することができ、ＮＢ−ＩｏＴシステムでのユニキャスト、マルチキャスト又はブロードキャストなどの複数種の情報送信方式での情報受信需要及び復号化需要を満たす。
【００３７】
図７は、受信装置が送信装置の情報送信方式を判断できる場合、本発明の実施例による受信装置により実行される情報受信方法のフローチャートを示す。そのうち、前記受信装置は、複数のリソースブロックを含むリソースプール中のリソースブロックを用いて、送信装置から送信されたスケジューリング情報を受信し、前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。
【００３８】
図７に示すように、情報受信方法７００は、前記一つのリソースブロックペアの首位リソースブロックで受信されたスケジューリング情報を復号化するステップＳ７０１を含む。
【００３９】
このステップでは、送信装置の情報送信方式がユニキャスト、マルチキャスト又はブロードキャストであるかにかかわらず、いずれも、まず一つのリソースブロックペア中の首位リソースブロックを復号化する必要がある。
【００４０】
続いて、ステップＳ７０２では、前記送信装置の情報送信方式を判断する。本発明の一つの実施例では、ステップＳ７０１において首位リソースブロックを復号化した後に取得されたＳＡ内容の中に前記情報送信方式を指示する指示情報により、前記情報送信方式を判断することができる。本発明の他の実施例では、ステップＳ７０１において首位リソースブロックを復号化した後に取得されたＳＡ内容の中に情報送信方式を指示する送信方式識別子（ＩＤ）により、このＩＤに対応する情報送信方式を組み合わせて判断することができる。
【００４１】
ステップＳ７０３では、前記送信装置の情報送信方式と、前記首位リソースブロックのスケジューリング情報の復号化結果とにより、前記レピティション位リソースブロックで受信されたスケジューリング情報を復号化するか否かを判断する。具体的には、前記首位リソースブロックのスケジューリング情報の復号化が成功であり、かつ前記送信装置の情報送信方式がマルチキャスト又はブロードキャストである場合、レピティション位リソースブロックで送信される情報が首位リソースブロックと同じであり、このレピティション位リソースブロックを復号化する必要がないことを意味する。
【００４２】
前記首位リソースブロックのスケジューリング情報の復号化が成功であり、かつ前記送信装置の情報送信方式がユニキャストである場合、受信装置が首位リソースブロックのスケジューリング情報を取得することができたが、情報送信方式がユニキャストである場合、一つのリソースブロックペアにおける首位リソースブロックとレピティション位リソースブロックで積載されるスケジューリング情報は、異なる可能性があるため、依然として、レピティション位リソースブロックを復号化する必要がある。
【００４３】
前記首位リソースブロックのスケジューリング情報の復号化が失敗である場合、送信装置の情報送信方式がユニキャスト、マルチキャスト又はブロードキャストであるかにかかわらず、いずれも、前記レピティション位リソースブロックで受信されたスケジューリング情報を復号化する必要がある。
【００４４】
また、本発明の実施例では、一つのリソースブロックペア中の首位リソースブロックとレピティション位リソースブロックに対する復号化がいずれも失敗である場合、首位リソースブロックとレピティション位リソースブロックのスケジューリング情報を結合して再び復号化することができる。
【００４５】
本発明の実施例において提供される情報受信方法では、受信装置は、送信装置の情報送信方式を知っている場合に、受信された情報を復号化することができ、システムリソースを節約し、ＮＢ−ＩｏＴシステムでのユニキャスト、マルチキャスト又はブロードキャストなどの複数種の情報送信方式での情報受信需要及び復号化需要を満たす。
【００４６】
図８は、本発明の実施例による基地局によって実行される情報送信制御方法のフローチャートを示す。本方法は、送信装置が複数のリソースブロックを含むリソースプール中のリソースブロックを用いて情報を送信するように、制御する。
【００４７】
そのうち、図８に示すように、情報送信制御方法８００は、前記送信装置の情報送信方式を決定するステップＳ８０１を含む。そのうち、本発明の一つの実施例では、基地局は、直接的に、送信装置の情報送信方式を決定してもよい。本発明の他の実施例では、基地局は、受信された、送信装置から送信された前記送信装置の情報送信方式を含むスケジューリング要求により、送信装置の情報送信方式を決定することができる。例えば、送信装置から基地局に送信されるスケジューリング要求には、その情報送信方式がユニキャストであることが含まれ、この場合、基地局は、このスケジューリング要求により、送信装置の情報送信方式をユニキャストとして決定する。
【００４８】
ステップＳ８０２では、基地局は、決定された前記情報送信方式により、スケジューリング情報の送信を前記送信装置に指示し、前記情報送信方式がユニキャストである場合、前記送信装置が前記複数のリソースブロック中の単一のリソースブロックを用いて一回のユニキャスト伝送に対するスケジューリング情報を送信するように指示し、前記情報送信方式がマルチキャスト又はブロードキャストである場合、前記送信装置が前記複数のリソースブロック中の一つのリソースブロックペアを用いて一回のマルチキャスト又はブロードキャスト伝送に対するスケジューリング情報を送信するように指示する。
【００４９】
そのうち、本発明の一つの実施例では、決定された前記情報送信方式によりスケジューリング情報の送信を前記送信装置に指示することは、前記送信装置が設定情報により前記情報送信方式を判定するように、前記情報送信方式についての設定情報を前記送信装置に送信することを含んでもよい。例えば、基地局は、まず、送信装置がその後の特定期間内にユニキャスト送信方式を用いて受信装置に情報を送信するように、ユニキャスト送信方式の準静的設定（ｓｅｍｉ−ｓｔａｔｉｃ  ｃｏｎｆｉｇｕｒａｔｉｏｎ）を送信装置に送信することができる。本発明の他の実施例では、基地局は、送信装置に、Ｄ２Ｄグラント情報を送信することで、送信装置がＤ２Ｄにより情報を受信装置に送信することを許可することができ、このグラント情報には、送信装置の情報送信方式を指示する１ビットの指示情報が含まれてもよい。本発明のさらなる実施例では、基地局は、送信装置が暗黙的方式でその情報送信方式を判定することもできる。具体的には、基地局は、送信装置が受信装置情報と予め記憶された受信装置に対応する情報受信方式とによりその情報送信方式を判定するように、受信装置を指示する受信装置情報を含むＤ２Ｄグラント情報を送信装置に送信する。例えば、基地局から送信された受信装置情報に指示された受信装置がユニキャスト受信方式に対応する場合、送信装置がこの情報送信方式をユニキャスト送信として判定することができる。
【００５０】
このステップでは、基地局が送信装置の情報送信方式をマルチキャスト又はブロードキャストとして指示する場合、送信装置は、図２に示すようなＳＡ設定でリソースプール中のＳＡリソースブロックペアを用いて、同じ受信装置にスケジューリング情報を繰り返して送信することで、ＨＤ問題を回避することができる。基地局から指示される送信装置の情報送信方式がユニキャストである場合、送信装置は、リソースブロックペアを用いてスケジューリング情報を繰り返して送信する必要がなく、図５に示すように、単一のＳＡリソースブロックで一回のユニキャスト伝送に対するスケジューリング情報を送信してもよい。
【００５１】
本発明の実施例では、ＨＤ問題を回避するために、基地局により指示される前記情報送信方式がユニキャストである場合、基地局は、前記受信装置がユニキャスト情報を受信するためのリソースブロックが占める時点と異なるように、前記送信装置が情報を送信するためのリソースブロックが占める時点を配置する。
【００５２】
ここで、Ｄ２Ｄ伝送中のリソースプール構成を繰り返して利用し、ＮＢ−ＩｏＴシステム中のユニキャスト情報伝送方式に適応させるために、基地局は、情報伝送の前にＳＡリソースブロックのフォーマットを再設定する必要がある。具体的には、本発明の実施例では、ＳＡリソースブロックは、シングルキャリアＵＥの伝送能力に適応させるように、周波数領域においてシングルキャリア幅の固定帯域幅（１５ｋＨｚ又は３．７５ｋＨｚ）を有するように配置され、好ましくはＨＤ問題の少ない１５ｋＨｚを有してもよい。基地局は、ＳＡの内容を収容するように、ＳＡリソースブロックが時間領域において予め設定された固定のスロットバインディング長を有するように配置し、例えば、ＳＡリソースブロックがＸ＊８ｍｓ又はＸ＊３２ｍｓ（ここで、Ｘが固定値である）を有するように配置する。
【００５３】
本発明の実施例で提供される情報送信制御方法では、基地局は、まず送信装置の情報送信方式を判断し、且つ、送信装置がこの情報送信方式を用いて受信装置にスケジューリング情報を送信するように指示することで、Ｄ２Ｄ送信伝送の過程においてＮＢ−ＩｏＴシステム中のユニキャスト・シングルサブキャリア伝送需要を満たすことができる。
【００５４】
以下、図９を参照しながら、本発明の実施例による送信装置を説明する。図９は、本発明の実施例による送信装置９００のブロック図を示す。図９に示すように、送信装置９００は、判定部９１０と送信部９２０を含む。この二つの部以外、送信装置９００は、その他の部品をさらに含んでもよいが、これらの部品は、本発明の実施例の内容に関係がないため、ここではその図示と説明を省略する。また、本発明の実施例による送信装置９００によって実行される下記動作の具体的な詳細は、以上で図４〜５を参照しながら説明した詳細と同様であるため、ここでは重複を避ける理由で同じ詳細を重複に説明することを省略する。
【００５５】
図９中の送信装置９００は、複数のリソースブロックを含むリソースプール中のリソースブロックを用いて、受信装置に情報を送信する。本発明の実施例によれば、送信装置９００が情報を送信する際に、まず、基地局の指示によりその情報送信方式がユニキャスト、マルチキャスト又はブロードキャストであるかを判定し、その後、判定された情報送信方式により情報を送信する必要がある。
【００５６】
そのうち、判定部９１０は、情報送信方式を判定するように構成される。送信装置９００の情報送信方式は、基地局により指示され、情報送信方式がユニキャスト、マルチキャスト及びブロードキャストを含んでもよい。本発明の一つの例示によれば、基地局は、直接的に指示を送信することにより、送信装置の情報送信方式を指定することができる。本発明の他の例示によれば、送信装置９００は、まず基地局に送信装置の情報送信方式を含むスケジューリング要求（Ｓｃｈｅｄｕｌｉｎｇ  Ｒｅｑｕｅｓｔ、ＳＲ）を送信するスケジューリング要求部（図示せず）をさらに含んでもよく、その後、基地局は、このスケジューリング要求により送信装置の情報送信方式を指示することができる。例えば、送信装置９００の情報送信方式がユニキャストである場合、スケジューリング要求部から基地局へ送信されるスケジューリング要求には、その情報送信方式がユニキャストの情報であることが含まれることができ、これによって、基地局は、送信装置９００がユニキャスト方式で受信装置へスケジューリング情報を送信するように指示する。
【００５７】
判定部９１０は、複数の方途により、情報送信方式を判定することができる。本発明の一つの実施例では、基地局は、判定部９１０がこの設定情報によりその情報送信方式を判定するように、まず情報送信方式についての設定情報を送信装置に送信する。例えば、基地局は、まず、判定部９１０がその後の特定期間内にユニキャスト送信方式を用いて受信装置に情報を送信すると判定するように、送信装置にユニキャスト送信方式の準静的設定（ｓｅｍｉ−ｓｔａｔｉｃ  ｃｏｎｆｉｇｕｒａｔｉｏｎ）を送信することができる。本発明の他の実施例では、基地局は、送信装置がＤ２Ｄにより情報を受信装置に送信することを許可するように、送信装置９００にＤ２Ｄグラント情報を送信することができ、このグラント情報は、送信装置の情報送信方式を指示する１ビットの指示情報を含んでもよい。判定部９１０は、受信された前記基地局のグラント情報により情報送信方式を判定することができる。本発明のさらなる実施例では、判定部９１０は、暗黙的方式で送信装置９００の情報送信方式を判定することもできる。具体的には、判定部９１０は、受信された基地局Ｄ２Ｄグラント情報における受信装置を指示する受信装置情報と、予め記憶された受信装置に対応する情報受信方式とにより、送信装置９００の情報送信方式を判定することができる。例えば、判定部９１０によって受信された受信装置情報に指示された受信装置がユニキャスト受信方式に対応する場合、判定部９１０は、送信装置９００の情報送信方式をユニキャスト送信方式として判定することができる。
【００５８】
送信部９２０は、前記情報送信方式がユニキャストである場合、前記複数のリソースブロック中の単一のリソースブロックを用いて一つの受信装置に対するスケジューリング情報を送信し、前記情報送信方式がマルチキャスト又はブロードキャストである場合、前記複数のリソースブロック中のリソースブロックペアを用いて一つのマルチキャスト又はブロードキャスト伝送に対するスケジューリング情報を送信するように構成される。
【００５９】
送信装置の情報送信方式がマルチキャスト又はブロードキャストである場合、送信部９２０は、ＨＤ問題を回避するように、図２に示すようなＳＡ設定を参照して、リソースプール中のＳＡリソースブロックペアを用いて同一の受信装置にスケジューリング情報を繰り返して送信することができる。送信装置の情報送信方式がユニキャストである場合、送信部９２０は、リソースブロックペアを用いてスケジューリング情報を繰り返して送信する必要がなく、図５に示すように、単一のＳＡリソースブロックで一つの受信装置に対するスケジューリング情報を送信する。
【００６０】
ここで、Ｄ２Ｄ伝送中のリソースプール構造を繰り返して利用し、ＮＢ−ＩｏＴシステム中のユニキャスト情報伝送方式に適応させるため、基地局により、又は予め設定されたプロトコルにより、情報伝送の前にＳＡリソースブロックのフォーマットを再設定する必要がある。具体的には、本発明の実施例におけるＳＡリソースブロックは、シングルキャリアＵＥの伝送能力に適応させるように、周波数領域においてシングルキャリア幅の固定帯域幅（１５ｋＨｚ又は３．７５ｋＨｚ）を有し、好ましくはＨＤ問題の少ない１５ｋＨｚを有してもよい。ＳＡリソースブロックは、ＳＡの内容を収容するように、時間領域において、予め設定された固定のスロット長を有し、例えば、Ｘ＊８ｍｓ又はＸ＊３２ｍｓ（ここで、Ｘが固定値である）を有してもよい。
【００６１】
そのうち、本発明の実施例では、送信部により送信されるスケジューリング情報には、情報送信方式を指示する指示情報が含まれてもよい。このように、受信装置がこれにより送信装置の情報送信方式を知るようにする。選択的に、指示情報は、１ビットを占めてもよい。
【００６２】
本発明の実施例に提供される送信装置では、ＳＡリソースブロックに対する再設定により、ＮＢ−ＩｏＴシステムでのＤ２Ｄ送信技術のユニキャストシングルキャリアの伝送需要を実現し、かつ、本発明の実施例における情報送信方法で採用されるユニキャスト伝送方式は、さらに消費電力を低減させ、リソースの利用効率を向上させる。
【００６３】
以下、図１０を参照しながら、本発明の実施例による送信装置を説明する。図１０は、本発明の実施例による受信装置１０００のブロック図を示す。図１０に示すように、受信装置１０００は、第１の首位復号化部１０１０と第１のレピティション位復号化部１０２０を含む。この二つの部以外、受信装置１０００は、さらにその他の部品を含んでもよいが、これらの部品は、本発明の実施例の内容に関係がないため、ここではその図示と説明を省略する。また、本発明の実施例による受信装置１０００によって実行される下記動作の具体的な詳細は、以上で図６を参照しながら説明した詳細と同様であるため、ここでは重複を避ける理由で同じ詳細を重複に説明することを省略する。
【００６４】
受信装置１０００は、複数のリソースブロックを含むリソースプール中のリソースブロックを用いて送信装置から送信されたスケジューリング情報を受信し、前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。
【００６５】
受信装置１０００中の第１の首位復号化部１０１０は、前記一つのリソースブロックペアの首位リソースブロックで受信されたスケジューリング情報を復号化するように構成される。受信装置１０００が送信装置から送信されるスケジューリング情報を受信したが、送信装置の情報送信方式を判断できない場合、この時に、第１の首位復号化部１０１０は、送信装置の情報送信方式がユニキャスト、マルチキャスト又はブロードキャストであるかにかかわらず、いずれも、まず、一つのリソースブロックペア中の首位リソースブロックを復号化する必要がある。
【００６６】
第１のレピティション位復号化部１０２０は、前記首位リソースブロックのスケジューリング情報の復号化が成功であるか否かにかかわらず、いずれも前記レピティション位リソースブロックで受信されたスケジューリング情報を復号化するように構成される。
【００６７】
従来技術では、情報送信方式がマルチキャスト又はブロードキャスト、スケジューリングであるかにかかわらず、スケジューリング情報は、いずれも一つのリソースブロックペア中の二つのリソースブロックにより繰り返して送信されるため、従来技術の復号化過程において、リソースブロックペアの首位リソースブロックの復号化が成功である場合、そのレピティション位リソースブロックで送信される情報が首位リソースブロックと同じであるとみなし、そのレピティション位リソースブロックを復号化する必要がない。
【００６８】
しかしながら、本発明の実施例では、情報送信方式がユニキャストである可能性が存在するため、一つのリソースブロックペアにおける互いに対応する二つのリソースブロックは、異なる送信装置から異なる受信装置へ送信される情報を積載する可能性がある。従って、首位リソースブロックのスケジューリング情報の復号化が成功であるか否かにかかわらず、本発明の実施例において第１のレピティション位復号化部１０２０は、いずれも、このリソースブロックペア中のレピティション位リソースブロックを復号化する必要がある。一つのリソースブロックペア中の首位リソースブロックとレピティション位リソースブロックの復号化がいずれも完了する場合のみ、完備なスケジューリング情報を取得することができる。
【００６９】
また、本発明の実施例では、一つのリソースブロックペア中の首位リソースブロックとレピティション位リソースブロックの復号化がいずれも失敗である場合、首位リソースブロックとレピティション位リソースブロックのスケジューリング情報を結合して再び復号化するように構成される第１の結合復号化部（図示せず）をさらに含んでもよい。
【００７０】
本発明の実施例に提供される受信装置では、送信装置の情報送信方式を判断できない場合に、受信された情報を復号化することができ、ＮＢ−ＩｏＴシステムでのユニキャスト、マルチキャスト又はブロードキャストなどの複数種の情報送信方式での情報受信需要及び復号化需要を満たす。
【００７１】
以下、図１１を参照しながら、本発明の実施例による受信装置を説明する。図１１は、本発明の実施例による受信装置１１００のブロック図を示す。図１１に示すように、受信装置１１００は、第２の首位復号化部１１１０と、判断部１１２０と、第２のレピティション位復号化部１１３０とを含む。これら３つの部以外、受信装置１１００は、その他の部品を含んでもよいが、これらの部品は、本発明の実施例の内容に関係ないため、ここではその図示と説明を省略する。また、本発明の実施例による受信装置１１００によって実行される下記動作の具体的な詳細は、以上で図７を参照しながら説明した詳細と同様であるため、ここでは重複を避ける理由で同じ詳細を重複に説明することを省略する。
【００７２】
受信装置１１００は、複数のリソースブロックを含むリソースプール中のリソースブロックを用いて、送信装置から送信されたスケジューリング情報を受信し、前記スケジューリング情報は、前記複数のリソースブロック中の一つのリソースブロック又はリソースブロックペアにより送信されるものであり、前記リソースブロックペアは、首位リソースブロックとレピティション位リソースブロックを含む。
【００７３】
受信装置１１００中の第２の首位復号化部１１１０は、前記一つのリソースブロックペアの首位リソースブロックで受信されたスケジューリング情報を復号化するように構成される。そのうち、送信装置の情報送信方式がユニキャスト、マルチキャスト又はブロードキャストであるかにかかわらず、いずれも、まず一つのリソースブロックペア中の首位リソースブロックを復号化する必要がある。
【００７４】
判断部１１２０は、前記送信装置の情報送信方式を判断するように構成される。本発明の一つの実施例では、第２の首位復号化部１１１０により首位リソースブロックを復号化した後に取得されたＳＡ内容の中に前記情報送信方式を指示する指示情報により、前記情報送信方式を判断することができる。本発明の他の実施例では、第２の首位復号化部１１１０により、首位リソースブロックを復号化した後に取得されたＳＡ内容の中に情報送信方式を指示する送信方式識別子（ＩＤ）と、このＩＤに対応する情報送信方式とにより、判断することができる。
【００７５】
第２のレピティション位復号化部１１３０は、前記送信装置の情報送信方式及び前記首位リソースブロックのスケジューリング情報の復号化結果により、前記レピティション位リソースブロックで受信されたスケジューリング情報を復号化するか否かを判断する。具体的には、前記首位リソースブロックのスケジューリング情報の復号化が成功であり、かつ前記送信装置の情報送信方式がマルチキャスト又はブロードキャストである場合、レピティション位リソースブロックで送信される情報が首位リソースブロックと同じであり、このレピティション位リソースブロックを復号化する必要がないことを意味する。
【００７６】
前記首位リソースブロックのスケジューリング情報の復号化が成功であり、かつ前記送信装置の情報送信方式がユニキャストである場合、受信装置が首位リソースブロックのスケジューリング情報を取得することができたが、情報送信方式がユニキャストである場合、一つのリソースブロックペアでの首位リソースブロックとレピティション位リソースブロックで積載されるスケジューリング情報は、異なる可能性があるため、依然として、レピティション位リソースブロックを復号化する必要がある。
【００７７】
前記首位リソースブロックのスケジューリング情報の復号化が失敗である場合、送信装置の情報送信方式がユニキャスト、マルチキャスト又はブロードキャストであるかにかかわらず、いずれも、前記レピティション位リソースブロックで受信されたスケジューリング情報を復号化する必要がある。
【００７８】
また、本発明の実施例では、受信装置は、一つのリソースブロックペア中の首位リソースブロックとレピティション位リソースブロックに対する復号化がいずれも失敗である場合、首位リソースブロックとレピティション位リソースブロックのスケジューリング情報を結合して再び復号化するように構成される第２の結合復号化部をさらに含んでもよい。
【００７９】
本発明の実施例において提供される受信装置では、送信装置の情報送信方式を知っている場合に、受信された情報を復号化することができ、システムリソースを節約し、ＮＢ−ＩｏＴシステムでのユニキャスト、マルチキャスト又はブロードキャストなどの複数種の情報送信方式での情報受信需要及び復号化需要を満たすことができる。
【００８０】
以下、図１２を参照しながら、本発明の実施例による基地局を説明する。図１２は、本発明の実施例による基地局１２００のブロック図を示す。図１２に示すように、基地局１２００は、決定部１２１０と指示部１２２０を含む。これら二つの部以外、基地局１２００は、その他の部品を含んでもよいが、これらの部品は、本発明の実施例の内容に関係ないため、ここではその図示と説明を省略する。また、本発明の実施例による基地局１２００によって実行される下記動作の具体的な詳細は、以上で図８を参照しながら説明した詳細と同じため、ここでは重複を避ける理由で同じ詳細を重複に説明することを省略する。
【００８１】
本発明の実施例の基地局１２００は、送信装置が複数のリソースブロックを含むリソースプール中のリソースブロックを用いて情報を送信するように制御する。
【００８２】
そのうち、決定部１２１０は、前記送信装置の情報送信方式を決定するように構成される。そのうち、本発明の一つの実施例では、決定部１２１０は、直接的に、送信装置の情報送信方式を決定することができる。本発明の他の実施例では、基地局１２００は、受信部（図示せず）をさらに含んでもよく、決定部１２１０は、受信部により受信された、送信装置から送信された前記送信装置の情報送信方式を含むスケジューリング要求により、送信装置の情報送信方式を決定することができる。例えば、送信装置から基地局に送信されるスケジューリング要求にその情報送信方式がユニキャストであることが含まれる場合、基地局１２１０は、このスケジューリング要求により、送信装置の情報送信方式をユニキャストとして決定する。
【００８３】
指示部１２２０は、決定された前記情報送信方式により、前記送信装置がスケジューリング情報を送信するように指示し、前記情報送信方式がユニキャストである場合、前記送信装置が前記複数のリソースブロック中の単一のリソースブロックを用いて１つの受信装置に対するスケジューリング情報を送信するように指示し、前記情報送信方式がマルチキャスト又はブロードキャストである場合、前記送信装置が前記複数のリソースブロック中の一つのリソースブロックペアを用いて１つの受信装置に対するスケジューリング情報を送信するように構成される。
【００８４】
そのうち、本発明の一つの実施例では、指示部１２２０は、前記送信装置が設定情報により前記情報送信方式を判定するように、前記情報送信方式についての設定情報を前記送信装置に送信することができる。例えば、指示部１２２０は、送信装置がその後の特定期間内にユニキャスト送信方式を用いて受信装置に情報を送信するように、まず送信装置にユニキャスト送信方式の準静的設定（ｓｅｍｉ−ｓｔａｔｉｃ  ｃｏｎｆｉｇｕｒａｔｉｏｎ）を送信することができる。本発明の他の実施例では、指示部１２２０は、送信装置に、送信装置の情報送信方式を指示する１ビットの指示情報を含むＤ２Ｄグラント情報を送信することで、送信装置がＤ２Ｄにより情報を受信装置に送信することを許可することができる。本発明のさらなる実施例では、指示部１２２０は、送信装置が暗黙的方式でその情報送信方式を判定することもできる。具体的には、指示部１２２０は、送信装置が受信装置情報と予め記憶された受信装置に対応する情報受信方式とに従ってその情報送信方式を判定するように、受信装置を指示する受信装置情報を含むＤ２Ｄグラント情報を送信装置に送信する。例えば、指示部１２２０により送信された受信装置情報に指示された受信装置がユニキャスト受信方式に対応する場合、送信装置がこの情報送信方式をユニキャスト送信として判定するようにすることができる。
【００８５】
指示部１２２０から指示された送信装置の情報送信方式がマルチキャスト又はブロードキャストである場合、送信装置は、ＨＤ問題を回避するように、図２に示すようなＳＡ設定を参照しながら、リソースプール中のＳＡリソースブロックペアを用いて、同じ回のマルチキャスト又はブロードキャスト伝送に対してスケジューリング情報を繰り返して送信することができる。指示部１２２０から指示された送信装置の情報送信方式がユニキャストである場合、送信装置は、リソースブロックペアを用いてスケジューリング情報を繰り返して送信する必要がなく、図５に示すように、単一のＳＡリソースブロックで一回のユニキャスト伝送装置に対するスケジューリング情報を送信する。
【００８６】
本発明の実施例では、基地局１２００は、設定部（図示せず）をさらに含んでもよい。ＨＤ問題を回避するために、設定部は、指示部１２２０により指示される前記情報送信方式がユニキャストである場合、前記受信装置がユニキャスト情報を受信するためのリソースブロックが占める時点と異なるように、前記送信装置が情報を送信するためのリソースブロックが占める時点を配置するように構成される。
【００８７】
ここで、Ｄ２Ｄ伝送中のリソースプール構造を繰り返して利用し、ＮＢ−ＩｏＴシステム中のユニキャスト情報伝送方式に適応させるため、情報伝送の前にＳＡリソースブロックのフォーマットを再設定する必要がある。具体的には、本発明の実施例では、ＳＡリソースブロックは、シングルキャリアＵＥの伝送能力に適応させるように、周波数領域においてシングルキャリア幅の固定帯域幅（１５ｋＨｚ又は３．７５ｋＨｚ）を有し、好ましくはＨＤ問題の少ない１５ｋＨｚを有してもよい。ＳＡリソースブロックは、時間領域において、ＳＡの内容を収容するように、予め設定された固定のスロットバインディング長を有し、例えば、Ｘ＊８ｍｓ又はＸ＊３２ｍｓ（ここで、Ｘが固定値である）を有してもよい。
【００８８】
本発明の実施例で提供される基地局では、まず送信装置の情報送信方式を判断し、且つ、送信装置がこの情報送信方式を用いて受信装置にスケジューリング情報を送信するように指示することで、Ｄ２Ｄ送信伝送の過程においてＮＢ−ＩｏＴシステム中のユニキャスト・狭帯域伝送需要を満たすことができる。
【００８９】
上記送信装置９００、受信装置１０００、１１００及び基地局１２００の動作は、ハードウェアによって実現されてもよく、プロセッサにより実行されるソフトウェアモジュールによって実現されてもよく、さらに、両方の組み合わせによって実現されてもよい。
【００９０】
ソフトウェアモジュールは、例えば、ＲＡＭ（ランダムアクセスメモリ）、フラッシュメモリ、ＲＯＭ（リードオンリーメモリ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、レジスタ、ハードディスク、リムーバブルディスク及びＣＤ−ＲＯＭのような、あらゆるフォーマットの記憶媒体に配置されることができる。
【００９１】
このような記憶媒体は、プロセッサが当該記憶媒体に情報を書き込み、又は当該記憶媒体から情報を読み取るように、プロセッサに接続される。このような記憶媒体は、プロセッサに集積されてもよい。このような記憶媒体とプロセッサは、ＡＳＩＣに配置されてもよい。このようなＡＳＩＣは、送信装置９００、受信装置１０００、１１００及び基地局１２００に配置されてもよい。このような記憶媒体とプロセッサは、ディスクリート部品として、送信装置９００、受信装置１０００、１１００及び基地局１２００に配置されてもよい。
【００９２】
そのため、上記実施例により本発明を詳細に説明したが、当業者は、本発明がこれらの実施例に限定されるものでないことを理解すべきである。本発明は、特許請求の範囲によって限定される本発明の範囲から逸脱しない限り、改正され、修正されたモードとして実現されてもよい。従って、明細書の記載は、例示を解釈することのみを意図し、本発明を限定する意味がない。
【図１】
2019525634.tif 000003
【図２】
2019525634.tif 000004
【図３】
2019525634.tif 000005
【図４】
2019525634.tif 000006
【図５】
2019525634.tif 000007
【図６】
2019525634.tif 000008
【図７】
2019525634.tif 000009
【図８】
2019525634.tif 000010
【図９】
2019525634.tif 000011
【図１０】
2019525634.tif 000012
【図１１】
2019525634.tif 000013
【図１２】
2019525634.tif 000014
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
複数のリソースブロックを含むリソースプール中のリソースブロックを用いて情報を受信装置に送信する送信装置であって、
情報送信方式を判定するように構成される判定部と、
前記情報送信方式がユニキャストである場合、前記複数のリソースブロック中の単一のリソースブロックを用いて一回のユニキャスト伝送に対するスケジューリング情報を送信し、前記情報送信方式がマルチキャスト又はブロードキャストである場合、前記複数のリソースブロック中の一つのリソースブロックペアを用いて一回のマルチキャスト又はブロードキャスト伝送に対するスケジューリング情報を送信するように構成される送信部と、を含む、送信装置。
【請求項２】
前記判定部は、基地局からの前記情報送信方式についての設定情報を受信し、前記設定情報により前記情報送信方式を判定する、請求項１に記載の送信装置。
【請求項３】
前記判定部は、前記情報送信方式を指示する指示情報を含む前記基地局のグラント情報を受信し、前記指示情報により前記情報送信方式を判定する、請求項１に記載の送信装置。
【請求項４】
前記判定部は、前記受信装置を指示する受信装置情報を含む前記基地局のグラント情報を受信し、前記受信装置情報と、予め記憶される前記受信装置に対応する情報受信方式とにより前記情報送信方式を判定する、請求項１に記載の送信装置。
【請求項５】
前記スケジューリング情報のフォーマットは、周波数領域においてシングルキャリア帯域幅を有し、時間領域において予め設定された固定スロット長を有するように配置される、請求項１〜４のいずれか一項に記載の送信装置。
【請求項６】
前記送信装置により送信されるスケジューリング情報は、前記情報送信方式を指示する指示情報を含む、請求項１〜４のいずれか一項に記載の送信装置。
【請求項７】
複数のリソースブロックを含むリソースプール中のリソースブロックを用いて、送信装置から送信されたスケジューリング情報を受信する受信装置であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記受信装置は、
前記一つのリソースブロックペアで受信された首位リソースブロックのスケジューリング情報を復号化するように構成される第１の首位復号化部と、
前記首位リソースブロックのスケジューリング情報の復号化が成功であるか否かにかかわらず、前記レピティション位リソースブロックで受信されたスケジューリング情報を復号化するように構成される第１のレピティション位復号化部と、を含む、受信装置。
【請求項８】
前記首位リソースブロックとレピティション位リソースブロックのスケジューリング情報に対する復号化がいずれも失敗である場合、前記受信装置は、前記首位リソースブロックとレピティション位リソースブロックのスケジューリング情報を結合して復号化する、請求項７に記載の受信装置。
【請求項９】
複数のリソースブロックを含むリソースプール中のリソースブロックを用いて、送信装置から送信されたスケジューリング情報を受信する受信装置であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記受信装置は、
前記一つのリソースブロックペアの首位リソースブロックで受信されたスケジューリング情報を復号化するように構成される第２の首位復号化部と、
前記送信装置の情報送信方式を判断するように構成される判断部と、
前記送信装置の情報送信方式及び前記首位リソースブロックのスケジューリング情報の復号化結果により、前記レピティション位リソースブロックで受信されたスケジューリング情報を復号化するか否かを判断するように構成される第２のレピティション位復号化部と、を含む、受信装置。
【請求項１０】
前記判断部は、取得された、前記情報送信方式を指示する指示情報により、前記情報送信方式を判断する、請求項９に記載の受信装置。
【請求項１１】
前記第２のレピティション位復号化部は、
前記首位リソースブロックのスケジューリング情報の復号化が成功であり、かつ前記送信装置の情報送信方式がマルチキャスト又はブロードキャストである場合、前記レピティション位リソースブロックで受信されたスケジューリング情報を復号化しなく、
前記首位リソースブロックのスケジューリング情報の復号化が成功であり、かつ前記送信装置の情報送信方式がユニキャストである場合、又は前記首位リソースブロックのスケジューリング情報の復号化が失敗である場合、前記レピティション位リソースブロックで受信されたスケジューリング情報を復号化する、請求項９に記載の受信装置。
【請求項１２】
送信装置が複数のリソースブロックを含むリソースプール中のリソースブロックを用いて情報を送信するように制御する基地局であって、
前記送信装置の情報送信方式を決定するように構成される決定部と、
決定された前記情報送信方式により、スケジューリング情報の送信を前記送信装置に指示し、前記情報送信方式がユニキャストである場合、前記送信装置が前記複数のリソースブロック中の単一のリソースブロックを用いて一回のユニキャスト伝送に対するスケジューリング情報を送信するように指示し、前記情報送信方式がマルチキャスト又はブロードキャストである場合、前記送信装置が前記複数のリソースブロック中の一つのリソースブロックペアを用いて一回のマルチキャスト又はブロードキャスト伝送に対するスケジューリング情報を送信するように指示するように構成される指示部と、を含む、基地局。
【請求項１３】
複数のリソースブロックを含むリソースプール中のリソースブロックを用いて情報を受信装置に送信する送信装置における情報送信方法であって、
情報送信方式を判定することと、
前記情報送信方式がユニキャストである場合、前記複数のリソースブロック中の単一のリソースブロックを用いて、一回のユニキャスト伝送に対するスケジューリング情報を送信し、
前記情報送信方式がマルチキャスト又はブロードキャストである場合、前記複数のリソースブロック中の一つのリソースブロックペアを用いて、一回のマルチキャスト又はブロードキャスト伝送に対するスケジューリング情報を送信することと、を含む、情報送信方法。
【請求項１４】
複数のリソースブロックを含むリソースプール中のリソースブロックを用いて、送信装置から送信されたスケジューリング情報を受信する受信装置における情報受信方法であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記情報受信方法は、
前記一つのリソースブロックペアの首位リソースブロックで受信されたスケジューリング情報を復号化することと、
前記首位リソースブロックのスケジューリング情報の復号化が成功であるか否かにかかわらず、前記レピティション位リソースブロックで受信されたスケジューリング情報を復号化することと、を含む、情報受信方法。
【請求項１５】
複数のリソースブロックを含むリソースプール中のリソースブロックを用いて、送信装置から送信された情報を受信する受信装置における情報受信方法であって、
前記スケジューリング情報は、前記複数のリソースブロック中の一つのリソースブロック又はリソースブロックペアにより送信されるものであり、
前記リソースブロックペアは、首位リソースブロックとレピティション位リソースブロックを含み、
前記情報受信方法は、
前記一つのリソースブロックペアの首位リソースブロックで受信されたスケジューリング情報を復号化することと、
前記送信装置の情報送信方式を判断することと、
前記送信装置の情報送信方式及び前記首位リソースブロックのスケジューリング情報の復号化結果により、前記レピティション位リソースブロックで受信されたスケジューリング情報を復号化するか否かを判断することと、を含む、情報受信方法。
【国際調査報告】
2019525634.tif 000015
2019525634.tif 000016
2019525634.tif 000017
2019525634.tif 000018